(57)【特許請求の範囲】
【請求項１】
反応槽（２００）と、前記反応槽に少なくとも硝酸イオンを含有する水溶液を供給する水溶液供給装置（１００、１０、１１）と、前記水溶液に紫外線を照射する紫外線照射装置（２０７）と、前記反応槽に還元剤を供給する還元剤供給装置（３００、３０、３１）と、前記反応槽から前記水溶液を排出する水溶液排出装置（４０、４１）と、前記水溶液供給装置、前記紫外線照射装置、前記還元剤供給装置及び前記水溶液排出装置の作動を制御する制御装置（５００）とを備える排水処理装置が実行する排水処理方法であって、
前記水溶液供給装置によって、前記水溶液を前記反応槽に供給する水溶液供給工程と、
前記反応槽への前記水溶液の供給時、あるいは前記反応槽への前記水溶液の供給後の少なくとも何れかに、前記還元剤供給装置によって、硝酸イオンの還元反応に用いられる還元剤を前記水溶液に１回あるいは複数回に分けて供給する還元剤供給工程と、
前記反応槽への前記水溶液の供給完了後、あるいは供給完了前に、前記反応槽の前記水溶液に前記還元剤の存在下で前記紫外線照射装置から紫外線を照射して硝酸イオンの還元反応を進行させる硝酸イオン低減工程と、
前記硝酸イオンの還元反応によって前記水溶液の硝酸イオン濃度が低減した後、前記水溶液排出装置によって、前記反応槽から前記水溶液を排出する水溶液排出工程とを備え、
前記制御装置は、前記水溶液供給工程、前記還元剤供給工程、前記硝酸イオン低減工程および前記水溶液排出工程を繰り返し行うことが可能であり、
前記紫外線照射装置は、ランプ部（２０７ａ）と、前記ランプ部を収容するケース部（２０７ｂ）とを有し、前記ケース部の内部には媒体が流通して前記ランプ部を冷却する排水処理方法。
【請求項２】
前記水溶液の量、前記水溶液の温度および前記水溶液の硝酸イオン濃度の少なくともいずれかを計測し、当該計測値に基づいて異常状態が発生していると判定された場合に、異常状態が発生した旨をユーザに報知する請求項１に記載の排水処理方法。
【請求項３】
前記水溶液の量、前記水溶液の温度および前記水溶液の硝酸イオン濃度の少なくともいずれかを計測し、当該計測値に基づいて異常状態が発生していると判定された場合に、前記水溶液供給工程、前記還元剤供給工程、前記硝酸イオン低減工程および前記水溶液排出工程の少なくともいずれかの工程を停止する請求項１または２に記載の排水処理方法。
【請求項４】
前記水溶液供給工程、前記還元剤供給工程、前記硝酸イオン低減工程および前記水溶液排出工程の少なくともいずれかの工程を停止した後に、前記計測値に基づいて前記異常状態が解消されたと判定された場合には、停止した工程を再開する請求項３の記載の排水処理方法。
【請求項５】
前記硝酸イオン低減工程において、前記反応槽に供給された前記水溶液に紫外線を照射開始してから所定時間が経過した時点で、前記水溶液の硝酸イオン濃度が予め設定された所定濃度を下回っていない場合に、前記異常状態が発生していると判定する請求項２ないし４のいずれか１つに記載の排水処理方法。
【請求項６】
前記反応槽において、前記水溶液の量が予め設定された所定量を上回っている場合に、前記異常状態が発生していると判定する請求項２ないし４のいずれか１つに記載の排水処理方法。
【請求項７】
前記水溶液の温度が予め設定された所定温度を上回っている場合に、前記異常状態が発生していると判定する請求項２ないし４のいずれか１つに記載の排水処理方法。
【発明の詳細な説明】
【技術分野】
【０００１】
本発明は、硝酸性窒素を含む窒素含有排水の排水処理方法に関する。
【背景技術】
【０００２】
近年、環境中への窒素の流出と蓄積が世界的に問題となっており、動植物への悪影響が懸念されている。窒素含有排水に含まれるアンモニア性窒素（アンモニムイオン：ＮＨ4+）、硝酸性窒素（硝酸イオン：ＮＯ3-）、亜硝酸性窒素（亜硝酸イオン：ＮＯ2-）は、水質汚濁防止法で排出基準が定められている。これらの窒素化合物は、環境保全の観点から今後、規制強化の可能性があり、窒素化合物を低濃度化する技術が求められている。硝酸性窒素と亜硝酸性窒素からなる硝酸態窒素を除去する手段としては、物理化学的な方法（例えばイオン交換、逆浸透、電気化学的透析、電気還元など）、生物学的な方法、触媒または光触媒を用いた方法、光化学反応を用いた方法が知られている。
【０００３】
例えば特許文献１には、光化学反応を用いた排水処理方法として、硝酸カリウム水溶液にメタノールまたはエタノールを共存させて紫外線を照射することで、排水中の硝酸イオン濃度を低下させる方法について記載されている。
【先行技術文献】
【特許文献】
【０００４】
【特許文献１】特開２０１４−３０８０３号公報
【発明の概要】
【発明が解決しようとする課題】
【０００５】
しかしながら、特許文献１に記載の光化学反応を用いた排水処理方法は、運転条件が最適化されておらず、排水処理の手間、コスト、メンテナンス等の観点から実用性に乏しい。
【０００６】
本発明は上記点に鑑み、光化学反応を用いた排水処理方法において、運転条件の最適化を図ることを目的とする。
【課題を解決するための手段】
【０００７】
上記目的を達成するため、請求項１に記載の発明は、反応槽（２００）と、水溶液供給装置（１０、１１）と、紫外線照射装置（２０７）と、還元剤供給装置（３００、３０、３１）と、水溶液排出装置（４０、４１）と、制御装置（５００）とを備える排水処理装置が実行する排水処理方法であって、水溶液供給装置によって、少なくとも硝酸イオンを含有する水溶液を反応槽に供給する水溶液供給工程と、反応槽への水溶液の供給時、あるいは反応槽への水溶液の供給後の少なくとも何れかに、還元剤供給装置によって、硝酸イオンの還元反応に用いられる還元剤を水溶液に１回あるいは複数回に分けて供給する還元剤供給工程と、反応槽への水溶液の供給完了後、あるいは供給完了前に、反応槽の水溶液に還元剤の存在下で紫外線照射装置から紫外線を照射して硝酸イオンの還元反応を進行させる硝酸イオン低減工程と、硝酸イオンの還元反応によって水溶液の硝酸イオン濃度が低減した後、水溶液排出装置によって、反応槽から水溶液を排出する水溶液排出工程とを備え、制御装置は、水溶液供給工程、還元剤供給工程、硝酸イオン低減工程および水溶液排出工程を繰り返し行うことが可能であり、紫外線照射装置は、ランプ部（２０７ａ）と、ランプ部を収容するケース部（２０７ｂ）とを有し、ケース部の内部には媒体が流通してランプ部を冷却することを特徴としている。
【０００８】
本発明によれば、運転条件の最適化を図り、排水供給工程、還元剤供給工程、硝酸イオン低減工程、排水排出工程を自動運転によって連続的に実行することができる。
【０００９】
なお、上記各手段の括弧内の符号は、後述する実施形態に記載の具体的手段との対応関係を示すものである。
【図面の簡単な説明】
【００１０】
【図１】本発明を適用した第１実施形態の排水処理装置の構成を示す説明図である。
【図２】紫外線照射装置の構成を示す図である。
【図３】制御装置の構成を示す図である。
【図４】排水に含まれる共存成分を示す図である。
【図５】反応槽における硝酸イオンの経時的変化を示すグラフである。
【図６】紫外線照射装置の変形例を示す図である。
【図７】紫外線照射装置の変形例を示す図である。
【発明を実施するための形態】
【００１１】
以下、本発明の実施形態について図面に基づいて説明する。図１に示すように、本実施形態の排水処理装置は、第１バッファ槽１００、反応槽２００、還元剤槽３００、第２バッファ槽４００を備えている。また、排水処理装置は、排水や還元剤が流れる配管１０、２０、３０、４０、５０を備えている。配管１０、２０、３０、４０、５０は、それぞれを流れる液体によって腐食を受けない材質、例えばステンレスやテフロン（登録商標）等の樹脂を用いることが好ましい。
【００１２】
第１バッファ槽１００は、硝酸イオンを低減する浄化処理（すなわち、硝酸イオンの減少処理）を行う前の排水を貯留する容器である。第１バッファ槽１００には、第１配管１０を介して外部から排水が供給される。第１配管１０には、第１配管１０に排水を送出するための第１ポンプ１１が設けられている。
【００１３】
本第１実施形態の排水は、窒素化合物含有排水であり、窒素化合物として少なくとも硝酸イオン（ＮＯ3-）が含まれた水溶液であればよい。さらに排水には、共存成分としてアンモニウムイオン、アルカリ金属イオン、アルカリ土類金属イオン、遷移金属イオン、ほう酸イオン、フッ化物イオン、ケイ酸イオン、りん酸イオン、硫酸イオン、塩化物イオンから選択される１種類以上のイオンを含有していてもよい。
【００１４】
第１バッファ槽１００の容量は特に限定されないが、バッファ槽１００に流入する排水量によっては溢れるおそれがあるため、数十Ｌ〜数百Ｌないし数千Ｌ程度の容量とすることが好ましい。また、第１バッファ槽１００の材質は特に限定されないが、大容量に耐える必要があるため、ステンレスや樹脂等、割れにくい材質とすることが好ましい。
【００１５】
第１バッファ１００には、排水の液面レベルを検出する液面センサ１０１、排水の温度を検出する温度センサ１０２、排水のｐＨを検出するｐＨセンサ１０３、排水の電気伝導度（ＥＣ：Electric Conductivity）を検出するＥＣセンサ１０４、排水中の硝酸イオン濃度を検出する硝酸イオン濃度センサ１０５が設けられている。ＥＣセンサ１０４では、電気伝導度に基づいて排水中の電解質濃度を検出することができ、間接的に硝酸イオン濃度を検出することができる。これらのセンサ１０１、１０２、１０３、１０４、１０５から出力されるセンサ信号は、後述する制御装置５００に入力される。
【００１６】
第１バッファ槽１００から反応槽２００には、第２配管２０を介して排水が供給される。第２配管２０には、第２配管２０に排水を送出するための第２ポンプ２１が設けられている。
【００１７】
第２配管２０には、排水に含まれる微細な固形物等をろ別するためのフィルタ２２が設けられている。フィルタ２２は、第１バッファ槽１００に排水が流入する前、または、第１バッファ槽１００から流出した排水が反応槽２００に流入するまでの間に設けられていればよい。なお、フィルタ２２は交換可能となっている。
【００１８】
また、排水中にウイルスや微生物が含まれている可能性がある場合には、ウイルスや微生物をろ別できるフィルタ２２を用いることが望ましい。さらに、排水が農業廃液である場合には、肥料成分として必須要素のカリウム（Ｋ）とリン（ＰＯ43-）の濃度を低減するために、フィルタ２２にイオン交換膜を設けてもよい。
【００１９】
反応槽２００は、排水を収容する容器である。反応槽２００では、排水中の硝酸イオン濃度を低減する浄化処理が行われる。硝酸イオンの浄化処理は、還元剤の存在下で排水に紫外線を照射して硝酸イオンの還元反応を進行させることで行われる。
【００２０】
反応槽２００は、１個あるいは複数個設けることができる。反応槽２００を複数個設ける場合には、同一構造あるいはそれに準ずる構造の反応槽２００を直列的に設け、上流側の反応槽２００から順に同一の浄化処理を繰り返し行うようにすればよい。もしくは、複数の反応槽２００を並列的に設け、同一の浄化処理を同時進行的に行ってもよい。
【００２１】
反応槽２００の大きさは特に限定されないが、実用性を考慮して数〜数十Ｌ、あるいは数百Ｌとすることが望ましい。
【００２２】
反応槽２００の材質は、光を透過しない材質であれば特に限定されないが、少なくとも紫外線が照射される部分は紫外線による劣化を防ぐために金属やガラスを用いることが望ましい。あるいは反応槽２００にＰＴＦＥ等の耐紫外線性に優れた樹脂を用いてもよい。
【００２３】
紫外線照射部２０７から照射される紫外線を外部に漏らさないために、反応槽２００の内壁に紫外線を反射する材料を配置するか、あるいは反応槽２００の内壁を紫外線を反射する構造とすることが望ましい。紫外線を反射する材料としては、例えばアルミニウム等を用いることができる。また、紫外線を反射する構造としては、幾何学的な加工が施された構造を用いることができる、
反応槽２００には、排水の液面レベルを検出する液面センサ２０１、排水の温度を検出する温度センサ２０２、排水のｐＨを検出するｐＨセンサ２０３、排水の電気伝導度を検出するＥＣセンサ２０４、排水中の硝酸イオン濃度を検出する硝酸イオン濃度センサ２０５、還元剤濃度を検出する還元剤濃度センサ２０６が設けられている。これらのセンサ２０１、２０２、２０３、２０４、２０５、２０６から出力されるセンサ信号は、後述する制御装置５００に入力される。
【００２４】
反応槽２００には、排水に紫外線を照射するための紫外線照射装置２０７が設けられている。本実施形態では、紫外線照射装置２０７として高圧水銀ランプを用いている。高圧水銀ランプの出力は特に限定されないが、反応槽２００に収容可能な排水の硝酸イオンモル数（硝酸イオン濃度×排水量）によって定まる必要光子数に基づいて高圧水銀ランプの出力を決定することができる。
【００２５】
紫外線照射装置２０７として高圧水銀ランプを用いることで、低圧水銀ランプを用いる場合よりも、排水中の硝酸イオンの減少速度を速くすることができる。また、紫外線照射装置２０７として高圧水銀ランプを用いることで、排水中に亜硝酸イオンが残存することを抑制できる。
【００２６】
紫外線照射装置２０７から照射される紫外線の波長が３００ｎｍ以下だと、上述した排水の共存成分に紫外線が吸収され、硝酸イオンの還元反応が充分に行われない。このため、本実施形態では、紫外線照射装置２０７から３００ｎｍより長い波長の紫外線を照射するようにしている。なお、紫外線照射装置２０７から照射される紫外線には、３００ｎｍ以下の波長の紫外線も微量含まれている。
【００２７】
紫外線照射装置２０７を構成する高圧水銀ランプは、１本でも複数本でもよい。保守の観点からは、１本の高出力の高圧水銀ランプを用いるよりも、複数本の中出力の高圧水銀ランプを用いることが望ましい。
【００２８】
紫外線照射装置２０７は、紫外線照射装置２０７から反応槽２００の全体に紫外線を均一に照射するために、反応槽２００において以下のように配置することが望ましい。紫外線照射装置２０７を１本のランプから構成する場合には、ランプを反応槽２００の垂直方向あるいは水平方向いずれかの断面の幾何学的な重心位置付近に配置することが望ましい。紫外線照射装置２０７を複数本のランプから構成する場合には、各ランプ中心間の距離をランプ中心と反応槽２００の内壁との距離で除した数値を１〜２程度とすることが望ましい。また、ランプと反応槽２００の内壁面との距離は、反応槽２００の大きさにもよるが、実用性を考慮すると１００〜３００ｍｍ程度とすることが望ましい。
【００２９】
紫外線照射装置２０７に用いる水銀ランプは、所定の使用時間毎に交換が必要である。このため、ランプの使用時間をタイマで管理し、ランプ交換時期が到来した場合にユーザにランプ交換を促す報知を行うことが望ましい。
【００３０】
紫外線照射装置２０７を構成する水銀ランプは、冷却が必要である。水銀ランプの冷却は、水冷式あるいは空冷式とすることができ、本実施形態では水冷式としている。
【００３１】
図２に示すように、紫外線照射装置２０７は、水銀ランプから構成されるランプ部２０７ａと、ランプ部２０７ａを収容するケース部２０７ｂを備えている。ケース部２０７ｂは、石英ガラスによって構成されている。ケース部２０７ｂは中空構造となっている。ケース２０７ｂの内部には冷却水が循環して、ランプ部２０７ａの熱が排水に影響しないようになっている。図２に示す例では、冷却水は、ケース部２０７の上部から流入し、ケース部２０７ｂの上部から流出する。なお、ランプ部２０７ａの冷却に利用する媒体は、反応に寄与する紫外線を吸収しない媒体であれば水に限定されない。
【００３２】
ケース２０７ｂには、ランプ部２０７ａを挿入する部位に蓋部２０７ｃが設けられている。蓋部２０７ｃは、紫外線が外部に漏れ出さない材質かつ構造であればよい。
【００３３】
反応槽２００には、内部の排水を撹拌するための撹拌装置２０８が設けられている。撹拌装置２０８は、反応槽２００の内部に設けられた撹拌子２０９を磁力によって回転させることで、排水を撹拌することができる。撹拌子２０９は、耐薬品性や耐紫外線性に優れた材質とすることが望ましく、例えばステンレス、テフロン（登録商標）、ガラス等を用いることができる。撹拌装置２０８による撹拌速度は特に限定されないが、数十ｒｐｍ以上とすることが望ましい。
【００３４】
反応槽２００には、反応槽２００の内部と外部を連通させる通気口であるベント穴２１０が設けられている。反応槽２００の内部で排水の浄化処理に伴って窒素ガス等が生成した場合には、生成ガスがベント穴２１０から外部に排出される。
【００３５】
反応槽２００の排水には、硝酸イオンの還元反応に用いられる還元剤が添加される。還元剤は、分子中の炭素数が６以下の有機物であることが望ましい。炭素数１〜６の有機物としては、ギ酸、エタノール、グリコール酸、酒石酸、クエン酸等を例示できる。また、炭素数１または２の還元剤（すなわちギ酸、エタノール）は、硝酸イオン減少率が高いことから、還元剤は炭素数が２以下の有機物であることがより望ましい。これらの有機物は、水に溶解させてもよく、あるいは水で希釈してもよい。
【００３６】
還元剤槽３００は、還元剤を収容する容器である。還元剤は、還元剤槽３００から第３配管３０を介して反応槽２００に供給される。第３配管３０には、還元剤を第３配管３０に送出するための第３ポンプ３１が設けられている。還元剤槽３００の還元剤が減少した場合には、必要に応じて還元剤が外部から補充すればよい。
【００３７】
還元剤槽３００には、還元剤の液面レベルを検出する液面センサ３０１、還元剤の温度を検出する温度センサ３０２が設けられている。また、還元剤の種類によっては、環境温度の影響を敏感に受ける場合があるため、温度センサ３０２によって還元剤の温度管理をすることが望ましい。これらのセンサ３０１、３０２から出力されるセンサ信号は、後述する制御装置５００に入力される。
【００３８】
還元剤槽３００の大きさは特に限定されないが、外部から還元剤の補充頻度が多くなりすぎないように、数百ｍＬ〜数十Ｌとすることが望ましい。還元剤槽３００の材質は、還元剤によって侵されないものであれば特に限定されず、例えばガラス、ステンレスやポリプロピレン等の樹脂を用いることができる。
【００３９】
還元剤槽３００には、還元剤槽３００の内部と外部を連通させる通気口であるベント穴３０３が設けられている。還元剤は有機物であることが多く、還元剤槽３００の内部で有機物がガス化した場合には、生成ガスがベント穴３０３から外部に排出される。さらに、ガス化した有機物を回収し、還元剤槽３００に戻すためのキャニスタをベント穴３０３に設けることが望ましい。
【００４０】
反応槽２００において、排水中の硝酸イオンを確実に還元するために、紫外線を照射する浄化処理を行う前の硝酸イオンに対する還元剤のモル比を、還元剤分子中の炭素数１つ当たり１以上にすることが望ましい。
【００４１】
また、反応槽２００では、硝酸イオンの還元反応が進行するのに伴って、還元剤が徐々に減少する。このとき、硝酸イオンより先に還元剤が消費されてしまうと、排水中の硝酸イオンを充分に還元させることができない。このため、紫外線を照射する浄化処理の途中においても、硝酸イオンに対する還元剤のモル比を、還元剤分子中の炭素数１つ当たり１以上に維持することが望ましい。
【００４２】
このためには、排水中の硝酸イオンに対して充分な量の還元剤を予め排水に添加しておくことがより望ましい。本第１実施形態では、紫外線を照射する浄化処理を行う前の硝酸イオンに対する還元剤のモル比を、還元剤分子中の炭素数１つ当たり５程度にしている。還元剤の量が多いほど排水中の硝酸イオンを確実に還元することができるが、必要以上の還元剤は浄化処理後に排水中に残存する。このため、浄化処理前の硝酸イオンに対する還元剤の量は、還元剤分子中の炭素数１つ当たりに対するモル比を６以下とすることが望ましい。さらに、硝酸イオンに対する還元剤のモル比を還元剤分子中の炭素数１つ当たり３〜５の範囲内とすることがより望ましい。
【００４３】
また、浄化処理の途中に硝酸イオンに対する還元剤のモル比を、還元剤分子中の炭素数１つ当たり１以上に維持するために、浄化処理の途中で還元剤を排水に補充するようにしてもよい。浄化処理の途中で還元剤を排水に補充する場合には、反応槽２００の硝酸イオン濃度センサ２０５によって浄化処理の進行中に排水中の還元剤濃度を測定し、還元剤濃度が低下してきたら、還元剤槽３００から還元剤を反応槽２００に補充すればよい。あるいは、所定時間経過毎に還元剤槽３００から反応槽２００の排水に還元剤を補充するようにしてもよい。
【００４４】
反応槽２００で浄化処理が行われた排水は、第４配管４０を介して第２バッファ槽４００に移送される。第４配管４０には、第４配管４０に排水を送出するための第４ポンプ４１が設けられている。
【００４５】
第２バッファ槽４００は、浄化処理が行われた排水を外部に排出する前に一時的に貯留しておくための容器である。第２バッファ槽４００の容量は特に限定されないが、第２バッファ槽４００に流入する排水量によっては溢れるおそれがあるため、数十Ｌ〜数百Ｌないし数千Ｌ程度の容量とすることが好ましい。また、第２バッファ槽４００の材質は特に限定されないが、大容量に耐える必要があるため、ステンレスや樹脂等、割れにくい材質とすることが好ましい。
【００４６】
第２バッファ槽４００の排水は、第５配管５０を介して外部に排出される。第５配管５０には、第５配管４０に排水を送出するための第５ポンプ５１が設けられている。
【００４７】
第２バッファ層４００には、排水の液面レベルを検出する液面センサ４０１、排水の温度を検出する温度センサ４０２、排水のｐＨを検出するｐＨセンサ４０３、排水の電気伝導度を検出するＥＣセンサ４０４、排水中の硝酸イオン濃度を検出する硝酸イオン濃度センサ４０５が設けられている。これらのセンサ４０１、４０２、４０３、４０４、４０５から出力されるセンサ信号は、後述する制御装置５００に入力される。
【００４８】
図３に示すように、排水処理装置には制御装置５００が設けられている。制御装置５００は、ＣＰＵ、ＲＯＭおよびＲＡＭ等を含む周知のマイクロコンピュータとその周辺回路から構成される。制御装置５００は、ＲＯＭ内に記憶された制御プログラムに基づいて各種演算処理を行って、出力側に接続された各種機器の作動を制御し、排水処理装置の自動運転を可能とする。
【００４９】
制御装置５００の入力側には、上述した第１バッファ槽１００、反応槽２００、還元剤槽３００、第２バッファ槽４００に設けられた各種センサが接続されている。制御装置５００は、各種センサの計測値に基づいて、各槽１００、２００、３００、４００の状態を監視可能となっている。制御装置５００の出力側には、上述したポンプ１１、２１、３１、４１、５１、紫外線照射装置２０７、撹拌装置２０８等が接続されている。
【００５０】
制御装置５００の出力側には、表示装置５０１が接続されている。表示装置５０１は、各種情報が表示可能となっている。表示装置５０１には、第１バッファ槽１００、反応槽２００、還元剤槽３００、第２バッファ槽４００に設けられた各種センサにより検出した数値（例えば、排水の液面レベル、排水温度、排水のｐＨ、排水の電気伝導度、排水の硝酸イオン濃度等）や、ユーザへのメッセージ（例えば、異常発生を報知するメッセージ）等を表示することができる。
【００５１】
制御装置５００の出力側には、光を出力可能なランプ５０２および音声を出力可能なスピーカ５０３が接続されている。ランプ５０２から光を出力すること、あるいはスピーカ５０３から音声を出力することで、例えば排水処理装置に異常状態が発生した旨をユーザに対して報知することができる。
【００５２】
次に、本実施形態の排水処理装置の作動について説明する。以下の各処理は、制御装置５００が各種機器の作動を制御することによって実行される。
【００５３】
〔排水供給工程〕
まず、第１バッファ槽１００から反応槽２００に排水を供給する排水供給工程を行う。排水供給工程では、液面センサ１０１で第１バッファ槽１００に所定量の排水が貯留されているか否かを判定する。所定量は、例えば排水槽２００の容量以上に設定することができる。
【００５４】
第１バッファ槽１００に貯留されている排水が所定量未満であると判定された場合には、第２ポンプ２１を作動させない。一方、第１バッファ槽１００に貯留されている排水が所定量以上であると判定された場合には、第２ポンプ２１を作動させ、第１バッファ槽１００から反応槽２００に排水を供給する。
【００５５】
また、液面センサ１０１によって計測した第１バッファ槽１００の排水の液面が上限値を超えていると判定された場合には、第１バッファ槽１００の排水が溢れる可能性があると判断できる。このため、表示装置５０１、ランプ５０２、スピーカ５０３の少なくともいずれかを用い、第１バッファ槽１００の排水が溢れる可能性があることをユーザに報知する。第１バッファ槽１００の排水が溢れる可能性の判断は、反応槽２００での排水の浄化処理速度を考慮してもよい。
【００５６】
また、硝酸イオン濃度センサ１０５で第１バッファ槽１００の排水中における硝酸イオン濃度を計測しておくことで、還元剤槽３００から反応槽２００に供給される還元剤の供給量を予め決定することができる。なお、ＥＣセンサ１０４によって電解質濃度を検出することで、硝酸イオン濃度を間接的に検出してもよい。
【００５７】
また、温度センサ１０２によって計測した第１バッファ槽１００の排水の温度が所定温度を超えていると判定された場合には、第１バッファ槽１００の排水温度が異常であると判断できる。このため、表示装置５０１、ランプ５０２、スピーカ５０３の少なくともいずれかを用い、第１バッファ槽１００の排水温度が異常であることをユーザに報知する。
【００５８】
第１バッファ槽１００から反応槽２００に所定量の供給が供給されたと判定された場合には、第２ポンプ２１を停止し、第１バッファ槽１００から反応槽２００への排水の供給を停止する。反応槽２００に所定量の排水が供給されたか否かは、液面センサ２０１によって計測した反応槽２０１内の排水の液面レベルに基づいて判断でき、あるいは第２ポンプ２１による送液速度および送液時間に基づいて判断できる。
【００５９】
〔還元剤供給工程〕
排水供給工程の終了後、あるいは排水供給工程と同時に、還元剤槽３００から反応槽２００に還元剤を供給する還元剤供給工程を行う。還元剤供給処理では、第３ポンプ３１を作動させることで、還元剤槽３００から反応槽２００に還元剤を供給する。
【００６０】
還元剤槽３００から反応槽２００に所定量の還元剤が供給された場合には、第３ポンプ３１を停止し、還元剤槽３００から反応槽２００への還元剤の供給を停止する。反応槽２００に所定量の還元剤が供給されたか否かは、第３ポンプ３１による送液速度および送液時間に基づいて判断できる。還元剤槽３００から反応槽２００への還元剤の供給は、一度で行ってもよく、間欠的に複数回で行ってもよい。
【００６１】
還元剤槽３００において、液面センサ３０１で計測した還元剤の液面レベルが所定値を下回った場合に、表示装置５０１、ランプ５０２、スピーカ５０３の少なくともいずれかを用い、還元剤槽３００の還元剤が少なくなっている旨をユーザに報知し、ユーザに還元剤の補充を促す。
【００６２】
また、温度センサ３０２によって計測した還元剤槽３００の還元剤の温度が所定温度を超えていると判定された場合には、還元剤槽３００の還元剤温度が異常であると判断できる。このため、表示装置５０１、ランプ５０２、スピーカ５０３の少なくともいずれかを用い、還元剤槽３００の還元剤温度が異常であることをユーザに報知する。
【００６３】
〔硝酸イオン低減工程〕
還元剤供給工程の終了後に、反応槽２００で排水の硝酸イオン濃度を低減する硝酸イオン低減工程を行う。硝酸イオン低減工程では、還元剤の存在下で紫外線照射装置２０７によって排水に紫外線を照射し、撹拌装置２０８によって排水を撹拌する。これにより、硝酸イオンの還元反応を進行させ、排水中の硝酸イオンを低減する浄化処理を行うことができる。
【００６４】
紫外線照射装置２０７による紫外線の照射、撹拌装置２０８による排水の撹拌は、反応槽２００への還元剤の供給前に行ってもよく、反応槽２００への還元剤の供給後に行ってもよい。ただし、紫外線照射装置２０７では、ランプ部２０７ａの点灯前に冷却水の循環を開始する。
【００６５】
反応槽２００では、硝酸イオンの還元反応の進行度を把握するため、硝酸イオン濃度センサ２０５で排水中の硝酸イオン濃度を計測し、さらに硝酸イオン低減工程を開始してからの経過時間を計測する。硝酸イオン濃度センサ２０５で計測した排水中の硝酸イオン濃度が所定値を下回った場合、あるいは硝酸イオン低減工程を開始してからの経過時間が所定時間を超えた場合に、反応槽２００での硝酸イオン低減工程の終了タイミングであると判断することができる。
【００６６】
硝酸イオン低減工程の終了タイミングであると判断された場合に、紫外線照射装置２０７による紫外線照射や撹拌装置２０８による撹拌は、そのまま継続して行ってもよく、あるいは停止してもよい。ただし、紫外線照射装置２０７として水銀ランプを用いている場合には、点灯および消灯を繰り返すほど寿命を短くする恐れがあるため、点灯状態を継続することが望ましい。
【００６７】
還元剤濃度センサ２０６によって反応槽２００の排水中の還元剤濃度を測定し、還元剤濃度が所定値を下回った場合には、還元剤槽３００から反応槽２００に還元剤を補充すればよい。
【００６８】
また、反応槽２００で所定の上限時間が経過しても硝酸イオン濃度が基準濃度以下に低下しなかった場合には、硝酸イオン低減工程で何らかの異常が発生したと判断できる。このため、表示装置５０１、ランプ５０２、スピーカ５０３の少なくともいずれかを用い、反応槽２００で異常状態が発生している旨をユーザに報知する。
【００６９】
硝酸イオン低減工程で異常状態が発生したと判断するための「上限時間」は任意に設定可能であり、例えば８、１２、２４時間等と設定することができる。あるいは一定間隔（例えば１時間毎）に硝酸イオン濃度を測定し、所定回数（例えば３回以上）連続して硝酸イオン濃度が変化しなかった場合に、硝酸イオン低減工程で異常状態が発生したと判断してもよい。
【００７０】
また、液面センサ２０１によって計測した反応槽２００の排水の液面が上限値を超えたと判定された場合には、反応槽２００の排水が溢れる可能性があると判断できる。このため、表示装置５０１、ランプ５０２、スピーカ５０３の少なくともいずれかを用い、反応槽２００の排水が溢れる可能性があることをユーザに報知する。
【００７１】
また、温度センサ２０２によって計測した反応槽２００の排水の温度が所定温度を超えていると判定された場合には、反応槽２００の排水温度が異常であると判断できる。このため、表示装置５０１、ランプ５０２、スピーカ５０３の少なくともいずれかを用い、反応槽２００の排水温度が異常であることをユーザに報知する。
【００７２】
〔排水排出工程〕
硝酸イオン低減工程の終了後に、反応槽２００から浄化処理が行われた排水を排出する排水排出工程を行う。排水排出工程は、第４ポンプ４１を作動させることで行われる。
【００７３】
排水排出処理の終了タイミングが到来した場合は、第４ポンプ４１を停止する。液面センサ２０１で計測した反応槽２００内の排水の液面レベルが所定値を下回った場合、あるいは排水排出処理を開始してからの経過時間が所定時間を超えた場合に、排水排出処理の終了タイミングが到来したと判定することができる。
【００７４】
浄化処理が行われた排水は第２バッファ槽４００に一時的に貯留される。第２バッファ槽４００では、液面センサ４０１によって計測した排水の液面レベルが所定値を上回った場合に、第５ポンプ５１を作動させて、第２バッファ槽４００の排水を外部に排出すればよい。
【００７５】
また、温度センサ４０２で第２バッファ槽４００の排水温度を計測し、排水温度が所定温度以上である場合には、環境への負荷を考慮して、排水温度が低下してから外部に排出すればよい。
【００７６】
上述した排水供給工程、還元剤供給工程、硝酸イオン低減工程、排水排出工程を繰り返し行うことで、排水中の硝酸イオンを低減する浄化処理を連続的に行うことができる。
【００７７】
次に、本第１実施形態の排水処理装置１を用いて排水の浄化処理を行った結果について説明する。第１バッファ槽１００の容量を３０Ｌとし、反応槽２００の容量を１０Ｌとし、還元剤槽３００の容量を１Ｌとし、第２バッファ槽２００の容量を３０Ｌとした。紫外線照射装置２０７として、４５０Ｗの高圧水銀ランプを用いた。
【００７８】
排水処理では、合計３０Ｌの排水を用いた。排水は、硝酸イオン濃度が１２０ｍｇ／Ｌである。排水は共存成分として、図４に示す物質が含有されている。また、還元剤として濃度９０％のギ酸を用いた。ギ酸の添加量は、排水中の硝酸イオンに対するモル比がギ酸分子中の炭素数１つ当たり５となるようにしている。
【００７９】
図５に示すように、高圧水銀ランプを用いた本実施形態の排水処理装置によれば、反応時間の経過に伴う硝酸イオン濃度の減少速度が速く、４時間経過後には硝酸イオンが消失している。その後、上述した給液処理、還元剤供給処理、浄化処理、排出処理を繰り返すことで、排水における硝酸イオンの浄化処理を連続的に行うことができる。
【００８０】
以上説明した本第１実施形態によれば、各槽１００、２００、３００、４００の状態を監視する各種センサを設け、各種センサの計測値に基づいて制御装置５００によって各種機器を制御することで、運転条件の最適化を図ることができ、排水供給工程、還元剤供給工程、硝酸イオン低減工程、排水排出工程の各工程を自動運転によって連続的に実行することができる。
【００８１】
また、本実施形態では、各種センサの計測値に基づいて各槽１００、２００、３００、４００のいずれかで何らかの異常状態が発生した場合に、表示装置５０１、ランプ５０２、スピーカ５０３の少なくともいずれかを用い、排水処理装置で異常状態が発生していることをユーザに報知する。これにより、ユーザは排水処理装置での異常発生を認識でき、排水処理装置を早期に適切な状態に復帰させることができる。
【００８２】
また、本実施形態では、紫外線照射装置２０７として高圧水銀ランプを用いている。これにより、低圧水銀ランプを用いる場合よりも、排水中の硝酸イオンの減少速度を速くすることができ、かつ、排水中に亜硝酸イオンが残存することを抑制できる。さらに、本実施形態では、紫外線照射装置２０７から３００ｎｍより長い波長の紫外線を照射するようにしている。これにより、図４に示す共存成分に紫外線が吸収されることを抑制でき、硝酸イオンの濃度を効果的に減少させることができる。
【００８３】
（他の実施形態）
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００８４】
（１）上記実施形態では、第１バッファ槽１００、反応槽２００、還元剤槽３００、第２バッファ槽４００における送液は、ポンプ１１、２１、３１、４１、５１を用いて行うように構成したが、ポンプのような動力を用いることなく高低差等を利用して送液を行うようにしてもよい。この場合には、各配管１０、２０、３０、４０、５０のそれぞれにバルブを設け、バルブの開閉によって配管１０、２０、３０、４０、５０における流体の流れを制御すればよい。
【００８５】
（２）上記実施形態では、反応槽２００で硝酸イオンの浄化処理を行った後の排水を一時的に貯留する第２バッファ槽４００を設けたが、第２バッファ槽４００を設けずに、反応槽２００で硝酸イオンの浄化処理を行った後の排水を反応槽２００から外部に排出するようにしてもよい。
【００８６】
（３）上記実施形態では、還元剤槽３００から反応槽２００に還元剤を供給し、還元剤が反応槽２００の内部で排水に添加されるように構成したが、これに限らず、第２配管２０の途中に第３配管３０を合流させ、第２配管２０を流れる排水に第３配管３０を介して還元剤を供給するように構成してもよい。
【００８７】
（３）上記実施形態では、反応槽２００において、攪拌装置２０８および撹拌子２０９によって排水を撹拌するように構成したが、これに限らず、撹拌装置２０８および撹拌子２０９の作用効果に準ずる排水の撹拌が可能である他の手段を講じて撹拌してもよく、また、排水を撹拌することなく硝酸イオンの減少処理を行うようにしてもよい。
【００８８】
（４）上記実施形態では、反応槽２００で硝酸イオンの浄化処理を行った排水を第２バッファ槽４００に貯留した後、排水を外部に排出するように構成したが、硝酸イオン濃度センサ４０５で第２バッファ槽４００の排水の硝酸イオン濃度を計測し、硝酸イオン濃度が所定値を上回っている場合には、排水を第２バッファ槽４００から反応槽２００に戻すようにしてもよい。排水が戻された反応槽２００では、硝酸イオンの浄化処理を再度行えばよい。
【００８９】
（５）上記実施形態では、紫外線照射部２０７を図２に示す構成としたが、これに限らず、異なる構成としてもよい。例えば、紫外線照射部２０７を図６あるいは図７に示す構成とすることができる。
【００９０】
図６に示す例は、水冷式の水銀ランプであり、ケース２０７ｂが反応槽２００の上方から下方に亘って設けられており、ケース部２０７ｂの下部にも蓋部２０７ｄが設けられている。図６の構成において、ケース部２０７ｂ内における冷却水の流通方向は、上方から下方あるいは下方から上方のいずれでもよいが、上方から下方に向かう流れとすることが望ましい。
【００９１】
図７に示す例は、空冷式の水銀ランプであり、ケース２０７ｂが反応槽２００の上方から下方に亘って設けられており、ケース部２０７ｂの下部にも蓋部２０７ｄが設けられている。図７に示す例では、ケース２０７ｂは中空構造となっておらず、蓋部２０７ｃ、２０７ｄに貫通孔が形成されている。蓋部２０７ｃ、２０７ｄの貫通孔を介してケース２０７ｂ内に空気が流通可能となっており、ランプ部２０７ａが空冷される。ケース部２０７ｂ内における空気の流通方向は、上方から下方あるいは下方から上方のいずれでもよい。また、蓋部２０７ｃ、２０７ｄの貫通孔は、ランプ部２０７ａから照射される紫外線が外部に漏れないように、蓋部２０７ｃ、２０７ｄの板面に対して傾斜させて形成することが望ましい。
【００９２】
（８）上記実施形態では、排水供給工程、還元剤供給工程、硝酸イオン低減工程、排水排出工程の少なくともいずれかの工程で、何らかの異常状態が発生したと判断された場合（例えば液体の量が適正量を上回っている場合、液体の温度が適正温度を上回っている場合等）には、表示装置５０１等を用いて異常発生を報知するように構成した。このように排水処理装置で何らかの異常状態が発生した場合には、異常発生の報知に加えて、あるいは異常発生の報知に代えて、少なくともいずれかの工程を停止させることが望ましい。停止させる工程は、異常状態が発生した工程でもよく、異常状態が発生していない工程でもよく、あるいはすべての工程でもよい。具体的には、ポンプ１１、２１、４１による排水の送出、ポンプ３１による還元剤の送出、紫外線照射部２０７による紫外線照射、撹拌装置２０８による排水の撹拌等を停止させればよい。
【００９３】
また、上述した排水供給工程、還元剤供給工程、硝酸イオン低減工程、排水排出工程の少なくともいずれかの工程を停止させた後で、工程を停止させる原因となった異常状態が解消された場合（例えば液体の量が適正量まで減少した場合、液体の温度が適正温度まで低下した場合等）には、停止した工程を再開する復旧処理を行うようにすればよい。
【符号の説明】
【００９４】
１００    第１バッファ槽
２００    反応槽
２０７    紫外線照射装置
２０８    撹拌装置
３００    還元剤槽
４００    第２バッファ槽
１０１、２０１、３０１、４０１  液面センサ
１０２、２０２、３０２、４０２  温度センサ
１０３、２０３、４０３          ｐＨセンサ
１０４、２０４、４０４          ＥＣセンサ
１０５、２０５、４０５          硝酸イオン濃度センサ
【図１】
0006645367.tif 000002
【図２】
0006645367.tif 000003
【図３】
0006645367.tif 000004
【図４】
0006645367.tif 000005
【図５】
0006645367.tif 000006
【図６】
0006645367.tif 000007
【図７】
0006645367.tif 000008